(57)【要約】【課題】    一方の解像度の放送を受信して記録し、この記録した信号を他方の解像度の記録信号に容易に交換できるシステムを提供する。【解決手段】  解像度の異なるテレビ信号からなる複数のコンテンツ１１５，１１６を送信する番組サーバ１１４から、利用者の操作に基づいて一方の解像度のコンテンツを受信する携帯端末１０１と、受信したコンテンツを格納するメモリ１０２を備え、前記携帯端末１０１は、利用者の操作に基づいて他方の解像度の前記コンテンツを番組サーバ１１４から受信し、受信が完了したときメモリに格納した前記一方の解像度のコンテンツを消去する。【選択図】  図１
2006054570.tif 000002
【特許請求の範囲】
【請求項１】
解像度の異なるテレビ信号からなる複数のコンテンツを送信する番組サーバから、利用者の操作に基づいて一方の解像度のコンテンツを受信する携帯端末と、
受信したコンテンツを格納するメモリを備え、
前記携帯端末は、利用者の操作に基づいて他方の解像度の前記コンテンツを番組サーバから受信し、受信が完了したときメモリに格納した前記一方の解像度のコンテンツを消去することを特徴とするデジタルコンテンツの交換システム。
【請求項２】
請求項１記載のデジタルコンテンツの交換システムにおいて、
一方の解像度のコンテンツは携帯端末用の低解像度のコンテンツであり、他方の解像度のコンテンツは据え置き型テレビ受信機用の高解像度のコンテンツであることを特徴とするデジタルコンテンツの交換システム。
【請求項３】
請求項１記載のデジタルコンテンツの交換システムにおいて、
利用者の操作に基づいて受信した他方の解像度のコンテンツは、携帯端末に取り外し可能に取り付けた可搬型のメモリに格納することを特徴とするデジタルコンテンツの交換システム。
【請求項４】
請求項３記載のデジタルコンテンツの交換システムにおいて、
可搬型のメモリは据え置き型テレビ受信機に取り付け可能であることを特徴とするデジタルコンテンツの交換システム。
【請求項５】
請求項１のデジタルコンテンツの交換システムにおいて、
番組サーバに接続する通信部を有する据え置き型のテレビ受信機を備え、該テレビ受信機は利用者の操作に基づいて通信部を介して他方の解像度の前記コンテンツを前記サーバから受信し、該サーバは送信が完了したとき携帯端末のメモリに格納した前記一方の解像度のコンテンツを消去することを特徴とするデジタルコンテンツの交換システム。
【請求項６】
請求項５記載のデジタルコンテンツの交換システムにおいて、
携帯端末は据え置き型のテレビ受信機と通信する非接触通信部を備えたことを特徴とするデジタルコンテンツの交換システム。
【請求項７】
請求項１記載のデジタルコンテンツの交換システムにおいて、
携帯端末は受信したコンテンツの著作権管理情報を格納するメモリを備えたことを特徴とするデジタルコンテンツの交換システム。
【請求項８】
請求項６記載のデジタルコンテンツの交換システムにおいて、
携帯端末に備えた非接触通信部は広告媒体に埋め込まれた非接触通信チップの信号を読みとることを特徴とするデジタルコンテンツの交換システム。
【請求項９】
請求項１記載のデジタルコンテンツの交換システムにおいて、
課金管理サーバを備え、課金管理サーバは番組サーバが送出したコンテンツに係る課金量を携帯端末ごとに計算することを特徴とするデジタルコンテンツの交換システム。
【請求項１０】
解像度の異なるテレビ信号からなる複数のコンテンツを送信する番組サーバからの一方の解像度のコンテンツを受信するステップと、
受信したコンテンツをメモリに格納するステップと、
利用者の操作に基づいて他方の解像度の前記コンテンツを前記サーバから受信し、受信が完了したときメモリに格納した前記一方の解像度のコンテンツを消去するステップを備えたことを特徴とするデジタルコンテンツの交換方法。
【発明の詳細な説明】
【技術分野】
【０００１】
本発明は、取得したデジタルコンテンツを交換するシステムにかかり、特に、取得したコンテンツを解像度の異なるコンテンツに交換するシステムに関する。
【背景技術】
【０００２】
テレビ放送などにより配信される番組のコンテンツはデジタル信号に変わりつつある。デジタル信号は、保管や通信により情報の欠落が発生し難い特性を有している。また、複製に際して劣化も発生し難いため、原本に忠実な複製が不正に作成されることがある。
【０００３】
このため、特許文献１に示すように、メモリカードにセキュリティ処理機能を搭載し、このセキュリティ機能を利用して、不正な読出しを禁止し、不正な複製ができないようにした仕組みなどが開発されている。これは、コンテンツの再生に利用する機器とコンテンツを保存した記憶媒体との間で暗号技術を利用して、再生を制御するものである。
【０００４】
ところで、近年では、テレビ放送のデジタル化が進展し、小型な携帯端末で移動しながら視聴することをが可能なモバイル用放送が計画され、このようなモバイル用の放送と、従来の据え置き型のテレビ受信機での受信を目的とした通常放送からなる２つの放送が並立することが見込まれるようになった。
【０００５】
このような場合には、例えば、移動中にモバイル用放送を視聴した後、家庭の据え置き型のテレビ受信機を利用して同一放送を大画面で視聴しようとすると、家庭の据え置き型テレビ受信機等で通常放送を別途、記録していかなければならない。
【特許文献１】特開２００３−２２８５２５号公報
【発明の開示】
【発明が解決しようとする課題】
【０００６】
前述のように、低解像度のモバイル用の放送と、高解像度の通常放送が並立する場合、たとえば、移動中に携帯端末を用いて低解像度のモバイル用放送を受信し記録していても、家庭の据え置き型のテレビ受信機を利用して同一放送を高解像度の大画面で視聴しようとする場合、別途、家庭の据え置き型テレビ受信機側で通常放送を記録しておかなければならない。
【０００７】
本発明は、このような問題点に鑑みてなされたもので、一方の解像度の放送を受信して記録し、この記録した信号を他方の解像度の記録信号に容易に交換できるシステムを提供するものである。
【課題を解決するための手段】
【０００８】
本発明は上記課題を解決するため、次のような手段を採用した。
【０００９】
解像度の異なるテレビ信号からなる複数のコンテンツを送信する番組サーバから、利用者の操作に基づいて一方の解像度のコンテンツを受信する携帯端末と、受信したコンテンツを格納するメモリを備え、前記携帯端末は、利用者の操作に基づいて他方の解像度の前記コンテンツを番組サーバから受信し、受信が完了したときメモリに格納した前記一方の解像度のコンテンツを消去する。
【発明の効果】
【００１０】
本発明は、以上の構成を備えるため、記録したデジタルコンテンツの解像度の交換を、携帯端末等を用いて容易に、かつ、安価に行うことができる。
【発明を実施するための最良の形態】
【００１１】
以下、最良の実施形態を添付図面を参照しながら説明する。図１は、本発明の第１の実施形態を説明する図である。図において、１０１はテレビ表示機能付き携帯電話等からなる携帯端末、１０２は携帯端末１０１に挿入するＩＣカード機能付きメモリカード、１０３は携帯電話としての通信に利用される携帯電話アンテナ、１０４はテレビ放送を受信するためのテレビ受信用アンテナ、１０５は携帯電話基地局であり、携帯端末１０１と送受信する。１０６は携帯電話基地局アンテナ、１０７は携帯電話基地局１０５が接続されてデータの送受信を行う携帯ネットワーク、１０８は携帯ネットワーク１０７に接続された携帯電話情報課金装置、１０９は携帯電話情報課金装置１０８の構成要素の一つであり、個々の携帯電話の課金情報を管理する課金管理サーバ、１１０は情報課金サーバにより管理され、個々の携帯電話毎に課された課金金額を記録した課金情報である。
【００１２】
１１１はゲートウエイであり、携帯ネットワーク１０７に接続され、個々の携帯電話とやり取りされる情報の一部を外部のネットワークとの間でやり取りする。１１２はゲートウエイ１１１を介して接続されたテレビネットワーク、１１３はテレビネットワーク１１２に接続された放送局である。１１４は番組サーバであり、放送局１１３が送出するコンテンテンツ情報である番組の送出を管理する。１１５は番組サーバ１１４が管理するコンテンツであるモバイル用番組である。
【００１３】
モバイル用番組１１５は、例えば携帯電話のように移動しながら視聴するのに適した番組コンテンツであり、対象とする画面サイズが小さい低解像度のコンテンツである。１１６はモバイル用番組１１５と同様に番組サーバにより管理された一般用番組。一般用番組１１６はモバイル用番組に比して高解像度のコンテンツである。
【００１４】
１１７は番組課金情報であり、番組サーバ１１４により管理され、送出した番組に対する個々の利用者の視聴料金を記録する。１１８は番組放送用のアンテナであり、番組サーバ１１４により管理された番組を送信する。なお、番組サーバ１１４は番組放送用アンテナ１１８あるいはテレビネットワーク１１２を介して送出する番組を管理する。また、番組課金情報１１７は携帯電話課金管理装置１０８に課金情報１１０として送信する。このとき携帯電話課金管理装置１０８は携帯電話の課金に番組課金を加算した値を課金量とする。
【００１５】
１１９は番組放送用アンテナ１１８からの電波を受信するテレビ受信用アンテナ、１２０はテレビ記録装置であり、テレビネットワーク１１２およびテレビ受信アンテナ１１９に接続され、放送局１１３から送出されたコンテンツである番組を復調する。また、記録も可能である。１２１はテレビ表示装置であり、テレビ記録装置１２０から出力されたテレビ信号を表示する。１２２は近距離非接触通信部であり、テレビ記録装置１２０に接続され、外部の機器とISO/IEC 18092に従った非接触での双方向のデータ通信を行う。１２３は非接触通信用アンテナであり、近距離非接触通信部１２２が外部の機器との間で非接触で通信を行うための外部との通信路を形成する。
【００１６】
図２は、図１に示す携帯端末１０１およびＩＣカード機能付きメモリカード１０２詳細を説明する図である。なお、図１と同じ構成には同じ番号を附してある。図において、２０１はＩＣカード機能付きメモリカード１０２を制御する制御部、２０２は後述するＩＣカードであり、制御部２０１により制御され、ＩＳＯ７８１６に従ったＩＣカードとしての機能と性能、特に高いセキリティ機能と性能を持ち、ＩＣカード機能付きメモリカード１０２の内部に専用のハードウエアとして搭載される。２０３は後述するメモリであり、制御部２０１により制御され、受信したコンテンツを記録する。２０４は著作権管理部であり、制御部２０１の内部で、メモリ２０３とＩＣカード２０２を制御し、外部から入力されたコンテンツ情報を容易に外部から読み出せないようにする。
【００１７】
２０５は中央演算制御部であり、ＩＣカード機能付きメモリカード１０２とデータをやり取りし、さらに携帯端末１０１の内部における各種の機能を制御する。２０６は、携帯電話著作権管理部であり、中央演算制御部２０５の内部で、特にＩＣカード機能付きメモリカード１０２の著作権管理部２０４と対向して動作する。２０７は機器操作入力部であり、中央演算制御部２０５により制御されて携帯電話の操作者による入力や操作者に対する出力を行う。２０８は電話回線通話部であり、携帯電話アンテナ１０３を介して携帯電話機基地局１０５と無線による情報の送受信を行い、電話ネットワーク１０７との情報のやり取りを可能とする。２０９はテレビ信号受信部であり、テレビ受信用アンテナ１０４で受信した放送電波を復調して情報を受け取る。
【００１８】
２１０は表示部であり、テレビ信号受信部２０９で受け取ったテレビ情報、電話回線通話部２０８で得た情報、あるいは中央演算制御部２０５からの情報を表示する。２１１は電源周辺部であり、携帯端末１０１およびＩＣカード機能付きメモリカード１０２への電源供給等を行う。２１２は音声入出力部であり、電話回線通話部２０８との音声入出力あるいはテレビ信号受信部２０９からの音声情報の出力を行う。２１３は携帯電話近距離非接触通信部であり、外部の機器と非接触で情報の送受信を行う。２１４は非接触通信用アンテナであり、携帯電話近距離非接触通信部２１３が外部との情報送受信を行う際に用いる。２１５は携帯端末１０１に固有な情報を記録した固有情報、２１６は固有情報２１５の内部に記録された携帯端末１０１の電話番号である。
【００１９】
図３は、ＩＣカード２０２の内部の記録情報の構成を説明する図である。第２図と同じ構成には同じ番号を附してある。図において、３０１は視聴番組情報であり、携帯端末１０１でテレビ信号受信機能２０９を介して受信し、視聴したコンテンツである番組の情報を記録する。３０２はＩＣカード２０２内部に記録された割引クーポン情報、２０３はカード固有番号であり、著作権管理機能２０４等によって利用される各ＩＣカード毎に異なる番号である。３０４は著作権管理情報であり、著作権管理部２０４によって利用される暗号機能等で利用する情報である。
【００２０】
３０５は視聴した一つの番組を表す番号である番組ＩＤ１、３０６はこの番組ＩＤ１ ３０５に対応した一つの番組を管理するための番組管理情報１、３０７はこの一つの番組を読み出すための暗号鍵１、３０８はこの一つの番組を視聴した際に利用した携帯端末の電話番号を示す電話番号１である。
【００２１】
同様に、３０９は視聴した他の一つの番組を表す番号である番組ＩＤ２、３１０はこの番組ＩＤ２ ３０９に対応した他の一つの番組を管理するための番組管理情報２、３１１はこの他の一つの番組を読み出すための暗号鍵２、３１２はこの他の一つの番組を視聴した際に利用した携帯端末の電話番号を示す電話番号２である。
【００２２】
以下、３１３および３１７は、それぞれ、視聴したその他の番組を示す番組ＩＤ３と番組ＩＤ４。３１４，３１８は、その他の番組の管理情報である番組管理情報３、番組管理情報４。３１５，３１９は、その他の番組の暗号鍵である、暗号鍵３、暗号鍵４。３１６，３２０は、その他の番組の記録した携帯端末の電話番号を示す電話番号３、電話番号４である。
【００２３】
図４は、メモリ２０３の構成を説明する図である。第２図と同じ構成には同じ番号を附してある。図において、４０１は記録された番組情報である視聴番組、４０２は視聴番組４０１の中で記録されている番組の一つを示すＩＤであり、第３図の番組ＩＤ１ ３０５と関連付けされている。４０３は番組ＩＤ１ ４０２で示される番組の中身であるコンテンツ情報１である。
【００２４】
同様に、４０４は記録された他の番組を示すＩＤであり、第３図の番組ＩＤ２ ３０９と関連付けされている。４０５は番組ＩＤ２ ４０４で示される番組であるコンテンツ情報２である。４０６、４０８は、それぞれ記録された他の番組を示すＩＤであり、第３図の番組ＩＤ３ ３１３、番組ＩＤ４ ３１７と関連付けされた番組ＩＤ３、番組ＩＤ４である。４０７，４０９は、それぞれ番組ＩＤ３ ４０６と番組ＩＤ４ ４０８で示されるそれぞれの番組であるコンテンツ情報３とコンテンツ情報４である。
【００２５】
図５は、番組管理情報３０６の詳細を説明する図である。第３図と同じ構成は同じ番号を附してある。図において、５０１は番組の記録を開始した時間と終了した時間を示す記録時間１、５０２は記録された番組の他の機器への複製作成の許可数を示すコピー許可回数１、５０３は記録された番組が最初に複製された情報から何回目に複製された情報であるかを示すコピー回数１、５０４はメモリ２０３に記録された番組のコンテンツ情報１に対して求められたハッシュ値であるコンテンツハッシュ値１である。
【００２６】
図６は、携帯端末に挿入したＩＣカード機能付きメモリカード１０２と番組サーバ１１４の間での処理を説明する図である。
【００２７】
予め、ＩＣカード機能付きメモリカード１０２に番組であるコンテンツが記録されている。この記録の動作についてまず説明する。携帯端末１０１はテレビ受信用アンテナ１０４、テレビ信号受信部２０９を介して放送局１１３のモバイル用番組１１５を受信する。受信した番組であるコンテンツの表示を行う場合、ＩＣカード機能付きメモリカード１０２の内部のＩＣカード２０２を用いる。例えば、地上波デジタル放送におけるＢ−ＣＡＳカード（登録商標）の機能をＩＣカード２０２に格納し、これを利用する。更に、携帯端末１０１の利用者は機器操作入出力部２０７を操作し、視聴する番組の記録の指示を行う。これにより、中央演算制御部２０５はＩＣカード機能付きメモリカード１０２への記録処理を開始する。記録処理では、まず、中央演算制御部２０５が、テレビ受信部２０９から受け取ったコンテンツ情報の一部に示された記録許可フラグを確認する。記録許可フラグが記録可能となっていた場合、携帯電話著作権管理機能２０６を用い、ＩＣカード機能付きメモリカード１０２の著作権管理部２０４との間でコンテンツの記録を行うための一連の処理を行う。例えば、携帯電話著作権管理部２０６と著作権管理部２０４の間での相互認証と、これに続く暗号通信路の確立を行う。
【００２８】
著作権管理部２０４は、相互認証と暗号通信路の確立のため、ＩＣカード２０２内部の著作権管理用情報３０４やカード固有番号３０３を用いる。その後、番組のコンテンツの情報が、ＩＣカード機能付きメモリカード１０２に付随する情報と共に転送される。ここで、付随する情報は、個々の番組を示す番組ＩＤ、利用している携帯端末１０１の電話番号、記録開始の時間、コピーの許可回数等である。転送されたコンテンツの情報と付随する情報は、制御部２０１により、それぞれ必要な処理を施してＩＣカード２０１とメモリ２０３に記録される。番組のコンテンツ情報は、著作権管理部２０４で必要な処理が施した後、メモリ２０３にコンテンツ情報４０３として格納される。
【００２９】
本実施形態では、著作権管理機能２０４が格納したコンテンツ情報４０３やコンテンツの情報と付随する情報に対するハッシュ値を計算し、この値をＩＣカード２０２内部にコンテンツハッシュ値５０４として記録する。これにより、改ざんを検出することができる。このように記録されたモバイル用番組は、大画面であるテレビ表示装置１２０で表示する際に、大画面用での表示に適した番組コンテンツに交換することができる。次に、この交換について、説明する。
【００３０】
図６において、ＩＣカード機能付きメモリカード１０２を示す線と番組サーバ１１４を示す線間を結ぶ矢印は、それぞれのデバイスが入出力するデータを示す。まず、携帯端末１０１の利用者は、機器操作入出力機能２０７を操作して、記録した番組の交換の指示を行う。中央演算制御部２０５は、ステップ６０１で番組サーバ１１４に対し番組交換要求を送出する。このとき、交換したい番組の番組ＩＤをＩＣカード機能付きメモリカード１０２から読み出して送出する。また、交換要求を送出する携帯端末の固有情報２１５から読み出した電話番号２１６も併せて送出する。番組サーバ１１４は、交換を要求されると、ステップ６０２で、既に端末が持っている番組ＩＤに対応した大画面用のコンテンツである番組を大画面用番組１１６から読出し、暗号化されたコンテンツ情報１’として送出する。併せてコンテンツ情報１’に付随する情報をコンテンツ情報１’関連情報として送出する。本実施形態の場合、コンテンツ情報１’関連情報として送出されるデータの内、コピー回数１’(図示せず)は、新規にコピーを作成したものとして、０が設定されている。
【００３１】
ＩＣカード機能付きメモリカード１０２は、受け取ったこれらの情報を著作権管理部２０４を用いて解読する。コンテンツ情報１’関連情報に対して必要な確認と記録を行った後、認証の要求に視聴番組情報に記録された電話番号３０８を付加して送出する。
【００３２】
番組サーバ１１４は、ステップ６０３で受け取った電話番号１を記録し、ステップ６０４でＩＣカード機能付きメモリカード１０２の著作権管理部との間で、著作権管理機能による認証を行う。この認証は、通常の著作権管理に用いられる認証を用いる。認証の結果、相互に正しい機器であることが確認された場合、ＩＣカード機能付きメモリカード１０２は、ステップ６０５で、ＩＣカード機能付きメモリカード１０２内部で既に記録されている番組ＩＤ３０６に対する処理として、番組管理情報３０６のコピー許可回数５０２を０とする。これにより、コピーによる複製の作成はできなくなる。更に、記録していたコンテンツ情報１’関連情報を新たな番組に対する情報として内部のＩＣカード２０２やメモリ２０３に記録する。番組サーバ１１４は、ステップ６０６で認証が正常に終了したことを受けて暗号化されたコンテンツ情報１’を継続して送出する。
【００３３】
ＩＣカード機能付きメモリカード１０２は、ステップ６０７で、受け取ったコンテンツ情報１’を内部のメモリ２０３に記録する。以降、継続して処理を進め、ステップ６０８で、暗号化されたコンテンツ情報１’の最後のデータを、最後のデータであることを示す情報と共に送出する。ＩＣカード機能付きメモリカード１０２は、ステップ６０９で受け取ったコンテンツ情報１’の最後のデータを記録すると共に、ステップ６１０で、既に記録されていた番組ＩＤに対応した番組の情報として、視聴番組情報３０１の番組ＩＤ３０５、番組管理情報３０６、暗号鍵３０７、電話番号３０８の各情報と、視聴番組４０１の番組ＩＤ４０２とコンテンツ情報４０３を消去する。
【００３４】
本実施形態の場合、既に視聴したモバイル用番組である番組ＩＤ１を消去したが、交換する際に、番組の提供者が、たとえばコピー許可回数を無制限として、無制限の複製作成を認めている場合、消去が必要ではないことは言うまでもない。番組サーバ１１４は、受け取った電話番号３０８と固有情報２１５として格納している電話番号２１６から、交換による費用の請求先を判断する。例えば、モバイル用番組の記録に用いた電話番号３０８と交換に使われた携帯端末１０１の電話番号２１６が同じ場合、利用者はすでに一度携帯端末を用いて番組を視聴しているので、交換は無料としたり、割引を行う。これらの料金は、あらかじめ番組の交換を行うサービス供給者である放送局１１３と利用者との間で取り決めておく。この取り決めに従い、交換に要した費用が算出される。番組サーバ１１４は、この費用を番組情報課金１１７に電話番号に対する課金情報としてステップ６１１で記録する。記録された課金情報は、その後、携帯電話課金情報１０８が管理する課金情報１１０に転送され、携帯端末１０１の携帯ネットワーク１０７を介した電話回線の利用料金と合算されて、利用者に請求される。利用者による、請求された料金の支払いは、従来と同様に、決済用口座からの引き落としや現金による支払などで行われる。
【００３５】
図７は、携帯端末に挿入したＩＣカード機能付きメモリカード１０２、番組サーバ１１４、およびテレビ記録装置１２１の間での処理を説明する図である。
【００３６】
ＩＣカード機能付きメモリカード１０２とテレビ記録装置１２１間のデータ交換に際しては、たとえば、携帯端末１０１の非接触通信用アンテナ２１４をテレビ記録装置１２１の非接触通信用アンテナ１２３にかざす。これにより、テレビ記録装置１２１と携帯端末１０１のＩＣカード機能付きメモリカード１０２とは携帯電話近距離非接触通信部２１３と近距離非接触通信部１２２を介して情報をやり取りすることができる。テレビ記録装置１２１の利用者が、携帯端末１０１に記録した番組の交換の指示を行うと、ステップ７０１で番組サーバ１１４に対し番組交換要求を出す。このとき、交換したい番組の番組ＩＤを近距離非接触通信機能１２２経由で携帯端末１０１のＩＣカード機能付きメモリカード１０２から読み出す。
【００３７】
番組サーバ１１４は、交換を要求されると、ステップ７０２で、既に携帯端末１０１が持っている番組ＩＤに対応した大画面用のコンテンツである番組を大画面用番組１１６から読出し、暗号化されたコンテンツ情報１’として送出する。併せてコンテンツ情報１’に付随する情報をコンテンツ情報１’関連情報として送出する。本実施形態の場合、コンテンツ情報１’関連情報として送出されるデータの内、コピー回数１’(図示せず)は、新規にコピーを作成したものとして、０が設定されている。テレビ記録装置１２１は、受け取ったこれらの情報を内部に持った著作権管理機能（図示せず）を使い解読するための処理を行う。解読のために、必要な処理の一部を、ＩＣカード機能付きメモリカード１０２内部の著作権管理部２０４を利用して行う。コンテンツ情報１’関連情報に対して必要な確認と記録を行った後、認証の要求に、近距離非接触通信部１２２経由で携帯端末１０１のＩＣカード機能付きメモリカード１０２から読み出した電話番号３０８を付加して送出する。
【００３８】
番組サーバ１１４は、ステップ７０３で受け取った電話番号を記録し、ステップ７０４でＩＣカード機能付きメモリカード１０２の著作権管理部との間で、著作権管理機能による認証を行う。この認証は、通常の著作権管理に用いられる認証が使われる。認証の結果、相互に正しい機器であることが確認された時点で、ＩＣカード機能付きメモリカード１０２は、ステップ７０５で、ＩＣカード機能付きメモリカード１０２内部で既に記録されている番組ＩＤ３０６に対する処理として、番組管理情報３０６のコピー許可回数５０２を０とする。これにより他へのコピーによる複製の作成ができなくなる。
【００３９】
テレビ記録装置１２１は、記録していたコンテンツ情報１’関連情報を新たな番組に対する情報として内部の記録媒体（図示せず）あるいはＩＣカード２０２に記録する。番組サーバ１１４は、ステップ７０６で認証が正常に終了したことを受けて暗号化されたコンテンツ情報１’を継続して送出する。テレビ記録装置１２１は、ステップ７０７で受け取ったコンテンツ情報１’を内部の記録媒体に記録する。以降、継続して処理を進め、ステップ７０８で、暗号化されたコンテンツ情報１’の最後のデータを、最後のデータであることを示す情報と共に送出する。テレビ記録装置１２１は、ステップ７０９で受け取ったコンテンツ情報１’の最後のデータを記録すると共に、ステップ７１０で記録が正常に終了したことを伝える信号情報をＩＣカード機能付きメモリカード１０２に伝える。
【００４０】
ＩＣカード機能付きメモリカード１０２は、ステップ７１１で、既に記録されていた番組ＩＤに対応した番組の情報として、視聴番組情報３０１の番組ＩＤ３０５、番組管理情報３０６、暗号鍵３０７、電話番号３０８の各情報と、視聴番組４０１の番組ＩＤ４０２とコンテンツ情報４０３を消去する。
【００４１】
本実施形態の場合、既に視聴したモバイル用番組である番組ＩＤを消去したが、交換する際に、番組の提供者が、たとえばコピー許可回数を無制限として、無制限の複製作成を認めている場合、消去が必要ではないことは言うまでもない。ステップ７１２で、ＩＣカード機能付きメモリカード１０２は、消去が完了したことをテレビ記録装置１２１に伝える。テレビ記録装置１２１は、この結果を受け、交換終了をステップ７１３で番組サーバ１１４に伝える。番組サーバ１１４は、受け取った電話番号１ ３０８から、交換による費用の請求先を判断する。この例の場合、利用者はすでに一度携帯端末を用いて番組を視聴しているので、交換は無料としたり、割引を行う。これらの料金は、あらかじめ番組の交換を行うサービス供給者である放送局１１３と利用者との間で取り決められている。この取り決めに従い、交換に要した費用が算出される。この費用を、番組サーバ１１４は、番組情報課金１１７に電話番号３０８に対する課金情報としてステップ７１４で記録する。記録された課金情報は、その後、携帯電話課金情報１０８が管理する課金情報１１０に転送され、携帯端末１０１の携帯ネットワーク１０７を介した電話回線の利用料金と合算されて、利用者に請求される。利用者による、請求された料金の支払いは、従来と同様に、決済用口座からの引き落としや現金による支払などで行われる。
【００４２】
図８は、携帯端末に挿入したＩＣカード機能付きメモリカードと広告媒体に埋め込まれた非接触通信用チップ間での処理を説明する図である。
【００４３】
非接触通信用チップ８０２には、近距離非接触通信を行うためのアンテナも含めて近距離非接触通信を行う機能が具備されている。携帯端末１０１の非接触通信用アンテナ２１４を非接触通信用チップ８０２に近づけると、携帯端末は、これを検知して接触通信用チップ８０２との間でISO/IEC 18092に従った近距離非接触通信を行う。近距離非接触通信で交換される情報は、携帯端末１０１の中央演算制御部２０５を介してＩＣカード機能付きメモリカード１０２に伝達される。
【００４４】
図９は、交換されるデータを説明する図である。図９において、ステップ９０１でＩＣカード機能付きメモリカード１０２と非接触通信用チップ８０２は、相互に正しい機器であることを相互認証により確認する。認証の結果が正しかった場合、ステップ９０２で非接触通信用チップ８０２から割引クーポン情報が、ＩＣカード機能付きメモリカード１０２に渡される。ＩＣカード機能付きメモリカード１０２は、この割引クーポン情報に示された割引率をＩＣカード２０２の割引クーポン情報３０２に記録する。
【００４５】
記録されたックーポン情報３０２は、第６図のステップ６０３あるいは第７図のステップ７０３で読み出されて番組サーバ１１４に送付される。番組サーバ１１４は、第６図のステップ６１１あるいは第７図のステップ７１４で、例えば番組の視聴料金を割り引いたり、無料にする。また、クーポン情報３０２の内容によっては、番組の最初の視聴時に、番組の視聴料金を無料にすることにも使われる。また、クーポン情報３０２の内容によっては、第６図のステップ６０６以降あるいは第７図のステップ７０６以降で番組サーバ１１４から送出されるコンテンツ情報１’や、番組の最初に視聴時に送出されるコンテンツ情報１を、番組提供者の宣伝であるコマーシャルを無くしたコンテンツとして送出してもよい。ＩＣカード２０２に記録されたクーポン情報３０２は、これらの割引処理に利用された後、例えば、第６図のステップ６０５あるいは第７図のステップ７０５で一旦無効とされる。無効とする動作は、割引クーポン情報３０２の一部に有効と無効を示すフラグ情報(図示せず)を設け、このフラグ情報を無効とすることで行う。その後、第６図のステップ６１０あるいは第７図のステップ７１１で割引クーポン情報３０２そのものが初期化されて消去される動作を行う。
【００４６】
このように、近距離非接触通信を利用することにより、テレビ記録装置１２０から携帯端末１０１に挿入されたＩＣカード機能付きメモリカード１０２の中の著作権管理情報等を記録したＩＣカード２０２利用できる。このため、番組交換に際して、テレビ記録装置にＩＣカード機能付きメモリカード２０２挿入し直す必要はなくなる。また、近距離非接触通信を利用し、番組提供者があらかじめ配布した広告媒体に埋め込まれた非接触通信用チップからクーポン情報を得て、番組視聴や交換を行う際に、このクーポンを利用して、各種サービス料金の割引を受けることができる。また、割引クーポンを利用し、利用者が番組中に入れられたコマーシャルを見ることなく番組を視聴することができる。また、番組のコンテンツの著作権管理に、一般にセキュリティが高く著作権管理に多く利用されているＩＣカードを利用することで高いセキュリティでのコンテンツの著作権管理を容易に構築できる。また、番組の交換により大画面用のコンテンツを記録する際に、複製で有ることを示すコピー回数が０となっているため、新規に記録したものとして記録される。このため、記録された大画面用コンテンツが新規なコンテンツとして利用できる。更に、ＩＣカードに記録されたコンテンツの管理に利用される情報やクーポン情報を、コンテンツが完全に移動された時点で消去するので、例えば、コンテンツ移動中に何らかの通信不良によりデータが中断した場合においても、コピーはできなくともすでに記録されている番組のコンテンツは視聴可能である。
【００４７】
以上説明したように、本実施形態によれば、記録したデジタルコンテンツの解像度の交換を、携帯端末等を用いて容易に行うことができる。また、携帯端末を利用してコンテンツを交換するため、専用の交換用の端末やセンターに出向いての交換が不要である。また、交換に要した費用は、携帯電話の利用費用と併せて手軽に決済できる。また、記録したデジタルコンテンツの解像度の交換は、既に、利用者は低解像度のコンテンツを購入しているため、新規に高解像度のコンテンツを購入する場合に比して、安価に設定することができる。なお、以上説明した各処理部はプログラム等で実現可能である。また、各処理部をハードウエアで実現することも可能である。
【図面の簡単な説明】
【００４８】
【図１】本発明の第１の実施形態を説明する図である。
【図２】図１に示す携帯端末１０１およびＩＣカード機能付きメモリカード１０２詳細を説明する図である。
【図３】ＩＣカード２０２の内部の記録情報の構成を説明する図である。
【図４】メモリ２０３の構成を説明する図である。
【図５】番組管理情報３０６の詳細を説明する図である。
【図６】携帯端末に挿入したＩＣカード機能付きメモリカード１０２と番組サーバ１１４の間での処理を説明する図である。
【図７】携帯端末に挿入したＩＣカード機能付きメモリカード１０２、番組サーバ１１４、およびテレビ記録装置１２１の間での処理を説明する図である。
【図８】携帯端末に挿入したＩＣカード機能付きメモリカードと広告媒体に埋め込まれた非接触通信用チップ間での処理を説明する図である。
【図９】図８に示す処理において交換されるデータを説明する図である。
【符号の説明】
【００４９】
１０１  携帯端末
１０２  ＩＣカード機能付きメモリカード
１０３  携帯電話アンテナ
１０４  テレビ受信用アンテナ
１０５  携帯電話基地局
１０６  携帯電話基地局アンテナ
１０７  携帯電話ネットワーク
１０８  携帯電話課金管理装置
１０９  課金管理サーバ
１１０  課金情報
１１１  ゲートウエイ
１１２  テレビネットワーク
１１３  放送局
１１４  番組サーバ
１１５  モバイル用番組
１１６  一般用番組
１１７  課金情報
１１８  番組放送用アンテナ
１１９  テレビ受信用アンテナ
１２０  テレビ記録装置
１２１  テレビ表示装置
１２２  近距離非接触通信部
１２３  非接触通信用アンテナ
２０１  制御部
２０２  ＩＣカード
２０３  メモリ
２０４  著作権管理部
２０５  中央演算部
２０６  携帯電話著作権管理部
２０７  機器操作入力部
２０８  電話回線通話部
２０９  テレビ信号受信部
２１０  表示部
２１１  電源等周辺部
２１２  音声入力部
２１３  携帯電話近距離非接触通信部
２１４  非接触通信用アンテナ
２１５  固有情報
２１６  電話番号
【図１】
2006054570.tif 000003
【図２】
2006054570.tif 000004
【図３】
2006054570.tif 000005
【図４】
2006054570.tif 000006
【図５】
2006054570.tif 000007
【図６】
2006054570.tif 000008
【図７】
2006054570.tif 000009
【図８】
2006054570.tif 000010
【図９】
2006054570.tif 000011